(57)【特許請求の範囲】
【請求項１】
部屋の壁面を構成する壁パネルを取り付けるための下地材であって；  壁パネルの横幅に対応するピッチで縦方向に延びるように複数本設けられるスタッドと、
隣り合う２本のスタッド間に掛け渡される振れ止めと、
上記スタッドに係止される壁パネル固定用のクリップと、
を具備し；
上記スタッドは、断面が中空Ｈ字形であり、その前後方向の面の中央には上下に長く延びるクリップ係止溝が設けられているとともに、横方向側壁には振れ止め係止穴が設けられており、
上記クリップは、上記スタッドのクリップ係止溝にまで達するとともにネジで上記スタッドに係止される奥深いコの字状部と、その先に左右に広がるパネル押え部とからなり、
上記振れ止めが、上記スタッドよりも前後方向の幅が狭い部材からなるとともに、上記スタッドの振れ止め係止穴下部の側壁と噛み合う切欠部を有することを特徴とする壁面下地材。
【請求項２】
上記振れ止めに前後方向幅がスタッドと等しいカバーが係止され、
該カバーが、コの字状の縦断面形状を有し、このコの字部を広げて上記振れ止めの上下縁に嵌め込まれることを特徴とする請求項１記載の壁面下地材。
【請求項３】
上記カバーのコの字状部の内側面に、上記振れ止めと係合する突起が形成されていることを特徴とする請求項２記載の壁面下地材。
【請求項４】
上記振れ止めに、前後方向の出入を調整できるアジャスター機構が設けられていることを特徴とする請求項１記載の壁面下地材。
【発明の詳細な説明】
【０００１】
【発明の属する技術分野】
本発明は、住宅やオフィス等の建物の内装用の壁面下地材に関する。特には、特殊な技能を有しない者でも組み立てが可能（一業種で施工可能）で、内装工事の省力化に役立ついわゆるシステム内装方式の壁面下地材に関する。
【０００２】
【従来の技術】
集合住宅等の鉄筋コンクリート製の躯体壁に沿って壁をつける際には、従来、一般的に次のようにしていた。まず躯体壁に間柱としてのスタッドをある間隔で上下ガイド材等に固定する。次にこのスタッドに石膏製等の壁面ボードを貼る。そして最後に、この壁面ボードの上に化粧板を貼るかクロス貼りの表面化粧をして仕上げる。
一方、躯体の壁面に壁（戸境壁という）を付けるのではなく、部屋と部屋との間を仕切る壁（間仕切壁という）を作る場合には、補強用野縁を取り付けてスタッドを立てるか、躯体の天井下面まで壁用の下地材を延ばして立てる工法を採用していた。
【０００３】
【発明が解決しようとする課題】
しかしながら、上記従来の工法では、下地から仕上げ工事まで複数の専門業者の手で施工することが前提であり、工数・コスト・所要日数ともに相当かかるものであった。また、将来、リフォームや間仕切り変更をする場合や壁面の改装仕上げを行う場合にも、床天井の一部を含めたその箇所の下地材仕上材一切のものを取り壊した後に、新たに壁下地材を立ち上げ仕上げパネル等を取り付ける大掛かりな工事が必要となっていた。
【０００４】
本発明は、このような問題点に鑑みてなされたもので、特殊な技能を有しない者でも組み立てが可能で、仕上げパネルのみの差し換えや間仕切壁変更等の内装工事の省力化に役立つ、いわゆるシステム内装方式の壁面下地材を提供することを目的とする。また、のり、釘を使用しなくても済む乾式工法であって、取り外しが容易、単一業種で施工可能等の特徴をも有するシステム内装方式の壁面下地材を提供することを目的とする。
【０００５】
【課題を解決するための手段】
上記課題を解決するため、本発明の壁面下地材は、  部屋の壁面を構成する壁パネルを取り付けるための下地材であって；  壁パネルの横幅に対応するピッチで縦方向に延びるように複数本設けられるスタッドと、  隣り合う２本のスタッド間に掛け渡される振れ止めと、上記スタッドに係止される壁パネル固定用のクリップと、を具備し；
上記スタッドは、断面が中空Ｈ字形であり、その前後方向の面の中央には上下に長く延びるクリップ係止溝が設けられているとともに、横方向側壁には振れ止め係止穴が設けられており、
上記クリップは、上記スタッドのクリップ係止溝にまで達するとともにネジで上記スタッドに係止される奥深いコの字状部と、その先に左右に広がるパネル押え部とからなり、
上記振れ止めが、上記スタッドよりも前後方向の幅が狭い部材からなるとともに、上記スタッドの振れ止め係止穴下部の側壁と噛み合う切欠部を有することを特徴とする。
振れ止めは、スタッド間隔（ピッチ）をより正確に出す役割を果たす。振れ止めの幅を比較的狭くして重量低減を図っている。また振れ止めの形状を単純な形として、薄鋼板のプレス加工等により低コストで製造可能としている。
【０００６】
振れ止めをスタッドに取付ける際は、スタッドの振れ止め係止穴に振れ止めの端部を差し込んで、振れ止めの切欠部をスタッドの振れ止め係止穴下部の側壁と噛み合わせるだけで済む。これでスタッド間ピッチが定まる。
【０００７】
本発明の壁面下地材においては、上記振れ止めに、前後方向の出入を調整できるアジャスター機構が設けられていることが好ましい。
コンクリートや木造の躯体面は、寸法精度がかなり悪くかつ表面の凹凸が相当ある。そのような躯体面に沿ったシステム内装壁が押された際にもたわむことのないように、躯体に対してアジャスター機構により突張ることにより解消するものである。
【０００８】
【発明の実施の形態】
以下、図面を参照しつつ説明する。
図１は、本発明の１実施例に係る壁面下地材（間仕切り壁用）の全体構成を示す図である。（Ａ）は斜視図であり、（Ｂ）は平面断面図である。
図１（Ａ）の上下方向が重力方向であり縦と呼び、左右方向が水平方向であり横と呼び、紙面の前後方向を前後方向と呼ぶ。
【０００９】
この間仕切り壁用下地材１は、建物躯体の天井面や床面（図示されず）に、アジャスターボルト等により固定された上レールＲｔと下レールＲｂとを基本として組み上げられている。各レールは断面コの字状（チャンネル型）をしており、上レールＲｔはコの字の開きを下にして天井面に固定されており、下レールＲｂはコの字の開きを上にして床面に固定されている。上下のレール間隔は、何種類かに標準化されている（一例：２６５０ｍｍ）。この実施例では、レールは薄鋼板をプレス加工したものであり、コの字の突き出し寸法は、手前側４０ｍｍ、奥側５０ｍｍである。
【００１０】
上下のレールＲｔ、Ｒｂ間には、間柱としてのスタッドＳが掛け渡されている。スタッドＳの上端及び下端は、レールのコの字状の凹部に差し込まれている。スタッドＳはレールＲに対して横方向にスライド可能であるが、基準となる箇所は固定される。
【００１１】
図２は、スタッドの詳細を示す図である。（Ａ）は側面図であり、（Ｂ）は断面図である。
このスタッドＳは、断面が中空Ｈ字形であり、横方向の幅が５０ｍｍ、前後方向厚さ３５ｍｍ、肉厚１．５ｍｍの金属部材（アルミ、軽鉄等）である。前後方向の面Ｓｄ、Ｓｄ′は、壁面に沿った面であり、その中央には上下に長く延びるクリップ係止溝Ｓｂ、Ｓｂ′が設けられている。この溝は、詳しくは図６を参照しつつ後述するが、壁パネル固定用のクリップが係止される。
【００１２】
スタッドＳの側面Ｓｃ、Ｓｃ′には、複数の振れ止め係止穴Ｓａが開けられている。振れ止め係止穴Ｓａは、長さ１２０ｍｍ、幅１５ｍｍの縦方向に延びる細長い長方形の穴であり、スタッドＳの側面Ｓｃに４個開けられている。図中のピッチ寸法の一例は、Ｐ１＝Ｐ５＝１７０ｍｍ、Ｐ２＝Ｐ３＝Ｐ４＝７５０ｍｍである。この振れ止め係止穴Ｓａには、後述する振れ止めが組み立て時に挿入される。
【００１３】
左右に隣り合う２本のスタッドＳ間には、振れ止め１１が上下方向に４本掛け渡されスタッド間の間隔が正確に定められる。
図３は、振れ止めの詳細を示す図である。（Ａ）は正面図、（Ｂ）は断面図である。
振れ止め１１は断面下向きコの字状の薄鋼板の曲げ加工品である。高さ４０ｍｍ、厚さ１４ｍｍ、板厚１ｍｍである。長さは、壁パネルの幅（一例９００ｍｍ）にほぼ対応した長さである。
【００１４】
振れ止め１１の左右両端部には、下辺から上に向かって延びる切欠１１ａ、１１ａ′が形成されている。切欠１１ａは、高さ１５ｍｍで、上部の幅１．５ｍｍ、下部の幅２．５ｍｍである。左右内側の辺は垂直の直線であるが外側の辺の入口部はやや傾斜しており、下部の幅は２．５ｍｍと少し広くなっている。これは、切欠をスタッドの振れ止め係止穴の側壁に嵌め込みやすくするためである。
【００１５】
振れ止め１１の切欠１１ａには、スタッドの振れ止め係止穴Ｓａの下の側壁が入り込んで、振れ止め１１がスタッドＳに対して組み立てられる。振れ止め１１の左右の切欠の間隔は、振れ止めを工場で製作する際にキチンとした寸法精度がでている。したがって、振れ止めを入れるだけでスタッド間ピッチが正しく定まる。
【００１６】
振れ止め１１の中間部には、任意の位置（この場合２箇所）にカバー１３が嵌め込まれている。
図４は、カバーの詳細を示す図であって、（Ａ）は断面図、（Ｂ）は正面図である。カバー１３は、薄鋼板（厚さ０．６ｍｍ）の折り曲げ部材である。カバー１３の断面形状は、コの字状に上下に脚１３ａ、１３ｇが付いた形である。この脚１３ａ、１３ｇは、コの字状の手前の壁１３ｄと平行であり、壁１３ｄと脚１３ａ、１３ｇの外側の面の間隔は３５ｍｍと、スタッドＳの厚さと等しい。
【００１７】
カバー１３の両側壁１３ｂ、１３ｅの内側には、係合突起１３ｃ、１３ｆが内側に突出するように形成されている。手前と奥側の突起の間隔は１４．５ｍｍであり、振れ止め１１の厚さ１４ｍｍよりやや大きい。また手前と奥側の突起は、カバー１３の前後方向中心線から等距離に振り分けられて形成されている。
【００１８】
このカバー１３は、図４で二点鎖線で示す振れ止め１１の上下面を、両側壁１３ｂ、１３ｅではさむように固定されている。カバー１３の手前の面１３ｄ及び脚１３ａ、１３ｇの奥の面には、間仕切り壁の壁パネルＰ１、Ｐ２が当接し、このパネルＰ１、Ｐ２に押圧力がかかってもパネルがあまり変形しないようになっている。カバー１３の設置ピッチの一例としては３００ｍｍである。
【００１９】
次に、この壁面下地材１の全体的組み立て方法をまとめて説明する。
まず、上下のレールＲｔ、Ｒｂを躯体の天井と床面にアンカーボルトで固定する。この時、上下のレール間隔を適正に出す。次に、上下のレール間にスタッドＳを少し傾けて入れて垂直に立てる。次に、スタッドＳ間に振れ止め１１を入れてスタッドＳ間の間隔を決める。次に、振れ止め１１にカバー１３を嵌め込む。その後、図１（Ｂ）に示すようにＡ室側から壁パネルＰ１をスタッドＳやカバー１３の面に当てて貼り、Ｂ室側から壁パネルＰ２をスタッドＳやカバー１３の面に当てて貼る。これで、Ａ室２１とＢ室２３の間の間仕切りが完了である。模様替えのために壁面下地材を取り外すときは、壁パネルＰをはがした後、振れ止め１１やスタッドＳを外せば間仕切り壁がなくなる。なお、壁パネルのスタッドＳへの係止方法については図６を参照して後述する。
【００２０】
図５は、本発明の他の１実施例に係る壁面下地材の振れ止め及びアジャスターボルト（戸境壁用）の構成を示す図である。（Ａ）は正面図であり、（Ｂ）は平面図である。
この例の特徴は、振れ止め３１に３本のアジャスターボルト３３が付いていることである。アジャスターボルト３３は、振れ止め３１に溶接固定されたナット３３ｂにネジ込まれている。アジャスターボルト３３の頭３３ａは塩化ビニル製のキャップでくるまれている。
【００２１】
コンクリート壁３５のように表面に凹凸がある躯体に壁面下地材を組み付ける際には、このアジャスターボルト３３を回して、その頭３３ａの突き出し長さを変え、ちょうど頭３３ａが躯体面に当たるように調整する。このようにすることによって振れ止め３１がちょうどほどよく躯体面３５にサポートされるようにできる。
【００２２】
図６は、スタッドへの壁パネルの係止部の詳細構造を示す平面断面図である。スタッドＳの前後方向の面Ｓｄには、２枚の壁パネルＰ１、Ｐ２の端部の裏面が当接している。両壁パネルＰ１、Ｐ２のエッジは、スタッドＳのクリップ係止溝Ｓｂのエッジよりやや外側に位置する。この状態で、クリップ５３をクリップ係止溝Ｓｂ内に嵌め込み、クリップ係止溝の奥でネジ５５を用いて止める。クリップ５３は、スタッドのクリップ係止溝Ｓｂにまで達する奥深いコの字状部５３ａと、その先に左右に広がるパネル押え部５３ｂとからなるアルミ型材である。パネル押え部５３ｂは、壁パネルＰ１、Ｐ２のエッジ部表面に当接してパネルを押さえる。クリップ５３の表面は装飾用の嵌め込み式のモール５１でカバーして美感を保つ。なお、左右に並ぶ２つのスタッドＳ間の間隔は振れ止め１１によって正確に決まるので、壁パネルＰ１、Ｐ２のエッジは、スタッドのクリップ係止溝の直近に正しく位置決めされる。壁パネルＰを外す時は、まずモール５１を外して、ネジ５５を抜いてクリップ５３を外せば、パネルＰは簡単に外れる。
【００２３】
【発明の効果】
以上の説明から明らかなように、本発明の第１態様の壁面下地材は、振れ止めが、スタッドよりも前後方向の幅が狭い、断面が横方向で実質的に均一なコの字状の部材からなるので、振れ止めの幅を比較的狭くして重量低減を図ることができる。また振れ止めの形状を単純な形として、薄鋼板のプレス加工等により低コストで製造可能である。
本発明の第２態様の壁面下地材は、スタッドが箱形の横断面形状を有するとともに、横方向側壁に開けられた振れ止め係止穴を有し、振れ止めが、スタッドの振れ止め係止穴下部の側壁と噛み合う切欠部を有するので、振れ止めをスタッドに取付ける際は、スタッドの振れ止め係止穴に振れ止めの端部を差し込んで、振れ止めの切欠部をスタッドの振れ止め係止穴下部の側壁と噛み合わせるだけで済む。
本発明の第３態様の壁面下地材は、振れ止めに、前後方向の出入を調整できるアジャスター機構が設けられているので、凹凸のある躯体表面にもしっかりと壁面下地材を固定できる。
【図面の簡単な説明】
【図１】本発明の１実施例に係る壁面下地材（間仕切り壁用）の全体構成を示す図である。（Ａ）は斜視図であり、（Ｂ）は平面断面図である。
【図２】スタッドの詳細を示す図である。（Ａ）は側面図であり、（Ｂ）は断面図である。
【図３】振れ止めの詳細を示す図である。（Ａ）は正面図、（Ｂ）は断面図である。
【図４】カバーの詳細を示す図であって、（Ａ）は断面図、（Ｂ）は正面図である。
【図５】本発明の他の１実施例に係る壁面下地材の振れ止め及びアジャスターボルト（戸境壁用）の構成を示す図である。（Ａ）は正面図であり、（Ｂ）は平面図である。
【図６】スタッドへの壁パネルの係止部の詳細構造を示す平面断面図である。
【符号の説明】
１  壁面下地材（間仕切り用）    １１  振れ止め
１３  カバー                      １３ａ、１３ｇ  脚
１３ｂ、１３ｅ  側壁              １３ｃ、１３ｆ  係合突起
１３ｄ  壁面
２１  Ａ室                        ２３  Ｂ室
３１  振れ止め                    ３３  アジャスターボルト
３３ａ  頭                        ３３ｂ  ナット
３５  コンクリート壁
５１  突き合わせモール            ５３  クリップ
５５  ネジ
Ｐ１  Ａ室側壁パネル              Ｐ２  Ｂ室側壁パネル
Ｐ３  壁パネル
Ｓ  スタッド
Ｓａ  振れ止め係止穴              Ｓｂ  クリップ係止溝
Ｒｔ  上レール                    Ｒｂ  下レール
【図１】
0003565401.tif 000002
【図２】
0003565401.tif 000003
【図３】
0003565401.tif 000004
【図４】
0003565401.tif 000005
【図５】
0003565401.tif 000006
【図６】
0003565401.tif 000007